(57)【要約】【課題】  周囲環境音に応じて着信報知出力を所望のレベルに設定することが可能な携帯端末装置の提供。【解決手段】  携帯端末装置は周囲環境音を収集する集音部１１と、着信を報知する着信報知部１２と、着信報知部１２に設定すべき出力レベルを、集音部１１で収集される周囲環境音の音量に応じて標準、標準よりも大および小のレベルに区分して表示する標準、大および小テーブ７１〜７３が格納されるメモリ７と、集音部１１で収集される周囲環境音の音量に基づき、３種のテーブル７１〜７３からいずれかのテーブルを選択し、そのテーブルの中から所望の出力レベルを着信報知部１２に設定するＣＰＵ３とを含む。【選択図】      図１
2010268086.tif 000002
【特許請求の範囲】
【請求項１】
周囲環境音を収集する集音部と、
着信を報知する着信報知部と、
前記着信報知部に設定すべき出力レベルを、前記集音部で収集される周囲環境音の音量に応じて標準、前記標準よりも大および小のレベルに区分して表示する標準、大および小テーブルが格納されるメモリと、
前記集音部で収集される周囲環境音の音量に基づき、前記３種のテーブルからいずれかのテーブルを選択し、そのテーブルの中から所望の出力レベルを前記着信報知部に設定するＣＰＵ（Central Processing Unit ）とを含むことを特徴とする携帯端末装置。
【請求項２】
前記ＣＰＵは、前記集音部で収集される周囲環境音の音量が周囲環境基準範囲内である場合に前記標準テーブルを選択し、前記周囲環境音の音量が周囲環境基準範囲内を超える場合に前記大テーブルを選択し、前記周囲環境音の音量が周囲環境基準範囲未満の場合に前記小テーブルを選択することを特徴とする請求項１記載の携帯端末装置。
【請求項３】
前記着信報知部は着信を音声で報知することを特徴とする請求項１または２記載の携帯端末装置。
【請求項４】
前記着信報知部は着信をバイブレータの振動で報知することを特徴とする請求項１から３のいずれかに記載の携帯端末装置。
【請求項５】
周囲環境音を収集する集音部と、着信を報知する着信報知部と、前記着信報知部に設定すべき出力レベルを、前記集音部で収集される周囲環境音の音量に応じて標準、前記標準よりも大および小のレベルに区分して表示する標準、大および小テーブルが格納されるメモリとを含む携帯端末装置における着信報知出力制御方法であって、
前記集音部で収集される周囲環境音の音量に基づき、前記３種のテーブルからいずれかのテーブルを選択し、そのテーブルの中から所望の出力レベルを前記着信報知部に設定する出力レベル設定ステップを含むことを特徴とする着信報知出力制御方法。
【請求項６】
前記出力レベル設定ステップは、前記集音部で収集される周囲環境音の音量が周囲環境基準範囲内である場合に前記標準テーブルを選択し、前記周囲環境音の音量が周囲環境基準範囲内を超える場合に前記大テーブルを選択し、前記周囲環境音の音量が周囲環境基準範囲未満の場合に前記小テーブルを選択することを特徴とする請求項５記載の着信報知出力制御方法。
【請求項７】
前記着信報知部は着信を音声で報知することを特徴とする請求項５または６記載の着信報知出力制御方法。
【請求項８】
前記着信報知部は着信をバイブレータの振動で報知することを特徴とする請求項５から７のいずれかに記載の着信報知出力制御方法。
【請求項９】
周囲環境音を収集する集音部と、着信を報知する着信報知部と、前記着信報知部に設定すべき出力レベルを、前記集音部で収集される周囲環境音の音量に応じて標準、前記標準よりも大および小のレベルに区分して表示する標準、大および小テーブルが格納されるメモリとを含む携帯端末装置における着信報知出力制御方法のプログラムであって、
コンピュータに、前記集音部で収集される周囲環境音の音量に基づき、前記３種のテーブルからいずれかのテーブルを選択し、そのテーブルの中から所望の出力レベルを前記着信報知部に設定する出力レベル設定ステップを実行させるためのプログラム。
【請求項１０】
前記出力レベル設定ステップは、前記集音部で収集される周囲環境音の音量が周囲環境基準範囲内である場合に前記標準テーブルを選択し、前記周囲環境音の音量が周囲環境基準範囲内を超える場合に前記大テーブルを選択し、前記周囲環境音の音量が周囲環境基準範囲未満の場合に前記小テーブルを選択することを特徴とする請求項９記載のプログラム。
【請求項１１】
前記着信報知部は着信を音声で報知することを特徴とする請求項９または１０記載のプログラム。
【請求項１２】
前記着信報知部は着信をバイブレータの振動で報知することを特徴とする請求項９から１１のいずれかに記載のプログラム。
【発明の詳細な説明】
【技術分野】
【０００１】
本発明は、携帯端末装置およびその着信報知出力制御方法に関し、特に携帯電話の着信音量あるいは着信振動の制御方法に関する。
【背景技術】
【０００２】
携帯端末装置、一例として携帯電話における着信報知出力（一例として着信音量あるいは着信を振動で報知するバイブレータの振動量）は、使用者によって任意に設定することが可能である。しかし、周囲の環境に応じて頻繁に着信報知出力を変更することは少ない。
【０００３】
一方、携帯電話はその性格上、使用者が移動して使用する場合が多い。したがって、着信報知出力を一定の値に設定しておいても、使用者が移動することで刻々と周囲環境は変化するため、その設定値が常に最適であるとは限らない。すなわち、使用者が騒音等、周囲環境音が比較的大きな場所に移動した場合、その周囲環境音に着信報知情報が打ち消され、その着信報知情報を認識できない場合がある。また、バイブレータの振動で着信報知する場合、携帯電話が肌に触れない場所にある場合は目的を発揮することができず、したがってこの場合はバイブレータの振動音のみが頼りになるため、振動音に関し着信音と同様となる。
【０００４】
一方、このような騒音等により着信報知情報が打ち消されるのを防止する発明の一例が特許文献１に開示されている。これは、騒音レベルが基準値よりも大であれば既存の着信音の着信音質を高音にまた音量レベルを大に設定し、騒音レベルが基準値よりも小であれば既存の着信音の着信音質を低音にまた音量レベルを小に設定する、というものである。
【０００５】
また、この種の発明の他の例が特許文献２に開示されている。これは、周囲音量が閾値より大の場合に着信音の音量またはバイブレータの振動量を大きくし、周囲音量が閾値より小の場合は着信音の音量またはバイブレータの振動量をもとのままにする、というものである。
【先行技術文献】
【特許文献】
【０００６】
【特許文献１】特開２００２−１７１３０８号公報
【特許文献２】特開２００８−１７７６３５号公報
【発明の概要】
【発明が解決しようとする課題】
【０００７】
特許文献１に記載の発明は、騒音レベルが基準値よりも大であれば着信音の音量レベルを大に設定し、騒音レベルが基準値よりも小であれば着信音の音量レベルを小に設定するという点で本発明と共通する。しかし、この発明では変化させる音量レベルは大か小の二値に限定されるため、それ以外の音量に設定することはできないという欠点がある。たとえば、騒音レベルに応じて音量レベルを大に設定したが、その音量レベルではまだ着信音を十分聞き取れないという場合である。
【０００８】
また、特許文献２に記載の発明は、周囲音量が閾値より大の場合に着信音の音量またはバイブレータの振動量を大にするという点で本発明と共通する。しかし、この発明では変化させる音量レベルまたは振動量レベルは大の一値に限定されるため、それ以外の音量レベルまたは振動量レベルに設定することはできないという欠点がある。
【０００９】
そこで本発明の目的は、周囲環境音に応じて着信報知出力を所望のレベルに設定することが可能な携帯端末装置およびその着信報知出力制御方法を提供することにある。
【課題を解決するための手段】
【００１０】
前記課題を解決するために本発明による携帯端末装置は、周囲環境音を収集する集音部と、着信を報知する着信報知部と、前記着信報知部に設定すべき出力レベルを、前記集音部で収集される周囲環境音の音量に応じて標準、前記標準よりも大および小のレベルに区分して表示する標準、大および小テーブルが格納されるメモリと、前記集音部で収集される周囲環境音の音量に基づき、前記３種のテーブルからいずれかのテーブルを選択し、そのテーブルの中から所望の出力レベルを前記着信報知部に設定するＣＰＵ（Central Processing Unit ）とを含むことを特徴とする。
【００１１】
また、本発明による着信報知出力制御方法は、周囲環境音を収集する集音部と、着信を報知する着信報知部と、前記着信報知部に設定すべき出力レベルを、前記集音部で収集される周囲環境音の音量に応じて標準、前記標準よりも大および小のレベルに区分して表示する標準、大および小テーブルが格納されるメモリとを含む携帯端末装置における着信報知出力制御方法であって、前記集音部で収集される周囲環境音の音量に基づき、前記３種のテーブルからいずれかのテーブルを選択し、そのテーブルの中から所望の出力レベルを前記着信報知部に設定する出力レベル設定ステップを含むことを特徴とする。
【００１２】
また、本発明によるプログラムは、周囲環境音を収集する集音部と、着信を報知する着信報知部と、前記着信報知部に設定すべき出力レベルを、前記集音部で収集される周囲環境音の音量に応じて標準、前記標準よりも大および小のレベルに区分して表示する標準、大および小テーブルが格納されるメモリとを含む携帯端末装置における着信報知出力制御方法のプログラムであって、コンピュータに、前記集音部で収集される周囲環境音の音量に基づき、前記３種のテーブルからいずれかのテーブルを選択し、そのテーブルの中から所望の出力レベルを前記着信報知部に設定する出力レベル設定ステップを実行させるためのものであることを特徴とする。
【発明の効果】
【００１３】
本発明によれば、上記構成を含むため、周囲環境音に応じて着信報知出力を所望のレベルに設定することが可能となる。
【図面の簡単な説明】
【００１４】
【図１】本発明に係る携帯端末装置の動作原理を説明するための構成図である。
【図２】本発明に係る携帯端末装置の第１実施例の構成図である。
【図３】メモリ７に格納されるボリューム設定テーブルの一例の構成図である。
【図４】第１実施例の動作を示すフローチャートである。
【図５】本発明に係る携帯端末装置の第２実施例の構成図である。
【図６】第２実施例の動作を示すフローチャートである。
【発明を実施するための形態】
【００１５】
まず、本発明の実施例の説明に入る前に、本発明の動作原理について説明しておく。図１は本発明に係る携帯端末装置の動作原理を説明するための構成図である。同図を参照すると、本発明に係る携帯端末装置は、集音部１１と、着信報知部１２と、メモリ７と、ＣＰＵ（Central Processing Unit ）３とを含んで構成される。
【００１６】
集音部１１は周囲環境音を収集する。着信報知部１２は着信を報知する。メモリ７には、着信報知部１２に設定すべき出力レベルを、集音部１１で収集される周囲環境音の音量に応じて標準、前記標準よりも大および小のレベルに区分して表示する標準テーブル７２、大テーブル７３および小テーブル７１が格納される。ＣＰＵ（Central Processing Unit ）３は集音部１１で収集される周囲環境音の音量に基づき、標準テーブル７２、大テーブル７３および小テーブル７１のいずれかのテーブルを選択し、そのテーブルの中から所望の出力レベルを着信報知部１２に設定する。
【００１７】
このように、本発明によれば、ＣＰＵ３が標準テーブル７２、大テーブル７３および小テーブル７１のいずれかのテーブルを選択し、そのテーブルの中から所望の出力レベルを着信報知部１２に設定する構成を有するため、周囲環境音に応じて着信報知出力を所望のレベルに設定することが可能となる。
【００１８】
以下、本発明の実施例について添付図面を参照しながら説明する。
【実施例１】
【００１９】
図２は本発明に係る携帯端末装置の第１実施例の構成図である。なお、同図において図１と同様の構成部分には同様の番号を付し、その説明を省略する。第１実施例における携帯端末装置は、一例として携帯電話である。図２を参照すると、携帯電話は集音部１１と、着信報知部１２と、メモリ７と、ＣＰＵ３と、スピーカ６と、プログラム格納部９とを含んで構成される。
【００２０】
また、集音部１１はマイク１と、ＡＤ(Analog to Digital）変換回路２とを含んで構成される。着信報知部１２は増幅回路５と、メロディ回路４とを含んで構成される。メモリ７には小テーブル７１と、標準テーブル７２と、大テーブル７３とが格納される。
【００２１】
集音部１１のマイク１は周囲環境音を集音する。ＡＤ変換回路２はマイク１が集音したアナログ音声信号をデジタル音声信号に変換する。着信報知部１２のメロディ回路４は着信音等のメロディを出力する。増幅回路５はメロディ回路４から出力されたメロディ信号を増幅する。スピーカ６は増幅回路５にて増幅されたメロディ信号を出力する。プログラム格納部９には後述するプログラムが格納されている。ＣＰＵ３は集音部１１、メモリ７、着信報知部１２およびプログラム格納部９を制御する。
【００２２】
次に、メモリ７に格納される小テーブル７１、標準テーブル７２および大テーブル７３について説明する。図３はメモリ７に格納されるボリューム設定テーブルの一例の構成図である。同図は左から順に、小テーブル７１、標準テーブル７２、大テーブル７３を示している。このテーブルには増幅回路５に設定すべき増幅率の一覧が表示されている。
【００２３】
まず、標準テーブル７２について説明する。標準テーブル７２は後述する周囲環境音が周囲環境基準範囲内の場合に対するものであり、標準テーブル７２にはボリュームの設定位置（同図に“Vol"で表示したもの）と、増幅率（同図に“OH" で表示したもの）とが対応して設定されている。そして、ボリュームの設定位置を示す数字（０１〜１０）が大きくなるにしたがって増幅率が順次大きくなるよう設定されている。
【００２４】
次に、小テーブル７１について説明する。小テーブル７１は後述する周囲環境音が周囲環境基準範囲よりも小さい場合に対するものであり、小テーブル７１にはボリュームの設定位置（同図に“Vol"で表示したもの）と、増幅率（同図に“OH" で表示したもの）とが対応して設定されている。そして、ボリュームの設定位置を示す数字（０１〜１０）が大きくなるにしたがって増幅率が順次大きくなるよう設定されている。一方、その増幅率は対応する標準テーブル７２のボリュームの設定位置に対し２OHだけ小さくなるよう設定されている。
【００２５】
次に、大テーブル７３について説明する。大テーブル７３は後述する周囲環境音が周囲環境基準範囲よりも大きい場合に対するものであり、大テーブル７３にはボリュームの設定位置（同図に“Vol"で表示したもの）と、増幅率（同図に“OH" で表示したもの）とが対応して設定されている。そして、ボリュームの設定位置を示す数字（０１〜１０）が大きくなるにしたがって増幅率が順次大きくなるよう設定されている。一方、その増幅率は対応する標準テーブル７２のボリュームの設定位置に対し２OHだけ大きくなるよう設定されている。
【００２６】
次に、第１実施例の動作について図４を参照しながら説明する。図４は第１実施例の動作を示すフローチャートである。なお、以下の動作はＣＰＵ３がメモリ７、ＡＤ変換回路２、増幅回路５およびメロディ回路４を制御することにより実行される。まず、着信時にマイク１によって周囲環境音が収集され、収集された音声信号はＡＤ変換回路２にてアナログ信号からデジタル信号へ変換される（ステップＳ１）。次に、デジタル信号に変換された音声信号はＣＰＵ３で平均化される（ステップＳ２）。
【００２７】
次に、ＣＰＵ３はその平均化された音声信号を、メモリ７に予め記憶された周囲環境音の基準範囲（以下、周囲環境基準範囲と表示する）と比較する（ステップＳ３）。そして、周囲環境音が周囲環境基準範囲内の場合（ステップＳ４にて“ＮＯ”の場合）、ＣＰＵ３はメモリ７に格納されている標準テーブル７２を参照して、増幅回路５の増幅率を標準の増幅率に設定する（ステップＳ８）。増幅回路５で増幅された音声信号はスピーカ６に出力され、スピーカ６からメロディが出力される（ステップＳ９）。
【００２８】
一方、ステップＳ４にて周囲環境音が周囲環境基準範囲外の場合（ステップＳ４にて“ＹＥＳ”の場合）、ＣＰＵ３は周囲環境音が周囲環境基準範囲より大きいか否かを調べる（ステップＳ５）。そして、周囲環境音が周囲環境基準範囲より大きい場合（ステップＳ５にて“ＹＥＳ”の場合）、ＣＰＵ３はメモリ７に格納されている大テーブル７３を参照して、増幅回路５の増幅率を大の増幅率に設定する（ステップＳ６）。増幅回路５で増幅された音声信号はスピーカ６に出力され、スピーカ６からメロディが出力される（ステップＳ９）。
【００２９】
一方、ステップＳ５にて周囲環境音が周囲環境基準範囲より小さい場合（ステップＳ５にて“ＮＯ”の場合）、ＣＰＵ３はメモリ７に格納されている小テーブル７１を参照して、増幅回路５の増幅率を小の増幅率に設定する（ステップＳ７）。増幅回路５で増幅された音声信号はスピーカ６に出力され、スピーカ６からメロディが出力される（ステップＳ９）。これで、処理は終了となる。
【００３０】
なお、ＣＰＵ３はメモリ７に格納されている標準テーブル７２を参照して、増幅回路５の増幅率を標準の増幅率に設定し（ステップＳ８）、あるいは大テーブル７３を参照して、増幅回路５の増幅率を大の増幅率に設定し（ステップＳ６）、もしくは小テーブル７１を参照して、増幅回路５の増幅率を小の増幅率に設定する（ステップＳ７）が、その設定値は１つに限定されない。
【００３１】
すなわち、一例として標準の増幅率に設定する場合は（ステップＳ８）、図３の標準テーブル７２に示される各増幅率の中から任意の増幅率を選択することが可能である。一方、大の増幅率に設定する場合は（ステップＳ６）、図３の大テーブル７３に示される各増幅率の中から、標準テーブル７２で設定した増幅率に対応する増幅率あるいはそれよりも大きい増幅率を選択することが可能である。また、小の増幅率に設定する場合は（ステップＳ７）、図３の小テーブル７１に示される各増幅率の中から、標準テーブル７２で設定した増幅率に対応する増幅率あるいはそれよりも小さい増幅率を選択することが可能である。
【００３２】
なお、本実施例では、増幅率を２ＯＨごとに変化させるよう構成したが、これに限定されるものではなく、増幅率の変化の割合は任意に設定することが可能で、かつステップごとの変化量は一定ではなく、任意の値とすることも可能である。
【００３３】
以上説明したように、本発明の第１実施例によれば、周囲環境音によって増幅回路５の増幅率を変更することで周囲環境に適した音量をスピーカから出力することができる。これにより、騒音下（一例として、地下鉄のホーム）での着信音の認識率向上と、静かな環境下（一例として、自宅の室内）での大音量での着信音の鳴動を防止することが可能となる。さらに、標準、大、小の各テーブルから所望の増幅率を選択し増幅回路５に設定する構成を有するため、周囲環境音に応じて着信報知出力を所望のレベルに設定することが可能となる。
【実施例２】
【００３４】
図５は本発明に係る携帯端末装置の第２実施例の構成図である。なお、同図において図１および図２と同様の構成部分には同様の番号を付し、その説明を省略する。第２実施例における携帯端末装置は、一例として携帯電話である。図５を参照すると、第１実施例（図２参照）との相違点は、着信報知部１２にバイブレータ８を追加したことであり、その他の構成は第１実施例と同様である。したがって、第１実施例と同様の構成部分についてはその説明を省略する。
【００３５】
バイブレータ８は携帯電話の筐体を振動させるために設けられ、使用者に着信を振動で報知するためのものである。このバイブレータ８はＣＰＵ３と接続されており、ＣＰＵ３からの指示に従い回転数（すなわち、振動量）を変化させるよう構成されている。なお、バイブレータ８の振動量は回転数に比例するものとする。
【００３６】
また、メモリ７には振動の設定位置と、振動量との関係を周囲環境音に応じて小、標準、大テーブルに設定した振動設定テーブルが格納されるが、この振動設定テーブルは第１実施例のボリューム設定テーブルのボリュームの設定位置を振動の設定位置に置換し、かつ第１実施例のボリューム設定テーブルの増幅率を振動量に置換したものに等しいため、その図示は省略する。
【００３７】
次に、第２実施例の動作について図６を参照しながら説明する。図６は第２実施例の動作を示すフローチャートである。なお、以下の動作はＣＰＵ３がメモリ７、ＡＤ変換回路２、バイブレータ８、増幅回路５およびメロディ回路４を制御することにより実行される。まず、着信時にマイク１によって周囲環境音が収集され、収集された音声信号はＡＤ変換回路２にてアナログ信号からデジタル信号へ変換される（ステップＳ１）。次に、デジタル信号に変換された音声信号はＣＰＵ３で平均化される（ステップＳ２）。
【００３８】
次に、ＣＰＵ３はその平均化された音声信号を、メモリ７に予め記憶された周囲環境音の基準範囲（以下、周囲環境基準範囲と表示する）と比較する（ステップＳ３）。そして、周囲環境音が周囲環境基準範囲内の場合（ステップＳ４にて“ＮＯ”の場合）、ＣＰＵ３はメモリ７に格納されている標準テーブル７２を参照して、増幅回路５の増幅率を標準の増幅率に設定し、かつ図示しない振動の標準テーブル（標準テーブル７２に対応するテーブル）を参照して、バイブレータ８の振動量を標準の振動量に設定する（ステップＳ８）。増幅回路５で増幅された音声信号はスピーカ６に出力され、スピーカ６からメロディが出力され、かつバイブレータ８が標準の振動量で回転する（ステップＳ９）。
【００３９】
一方、ステップＳ４にて周囲環境音が周囲環境基準範囲外の場合（ステップＳ４にて“ＹＥＳ”の場合）、ＣＰＵ３は周囲環境音が周囲環境基準範囲より大きいか否かを調べる（ステップＳ５）。そして、周囲環境音が周囲環境基準範囲より大きい場合（ステップＳ５にて“ＹＥＳ”の場合）、ＣＰＵ３はメモリ７に格納されている大テーブル７３を参照して、増幅回路５の増幅率を大の増幅率に設定し、かつ図示しない振動の大テーブル（大テーブル７３に対応するテーブル）を参照して、バイブレータ８の振動量を大の振動量に設定する（ステップＳ６）。増幅回路５で増幅された音声信号はスピーカ６に出力され、スピーカ６からメロディが出力され、かつバイブレータ８が大の振動量で回転する（ステップＳ９）。
【００４０】
一方、ステップＳ５にて周囲環境音が周囲環境基準範囲より小さい場合（ステップＳ５にて“ＮＯ”の場合）、ＣＰＵ３はメモリ７に格納されている小テーブル７１を参照して、増幅回路５の増幅率を小の増幅率に設定し、かつ図示しない振動の小テーブル（小テーブル７１に対応するテーブル）を参照して、バイブレータ８の振動量を小の振動量に設定する（ステップＳ７）。増幅回路５で増幅された音声信号はスピーカ６に出力され、スピーカ６からメロディが出力され、かつバイブレータ８が小の振動量で回転する（ステップＳ９）。
【００４１】
以上説明したように、本発明の第２実施例によれば、周囲環境音によって増幅回路５の増幅率を変更することで周囲環境に適した音量をスピーカから出力することができ、かつバイブレータ８の振動量を周囲環境音に適した振動量にすることができる。これにより、騒音下（一例として、地下鉄のホーム）での着信音およびバイブレータ８の振動の認識率向上と、静かな環境下（一例として、自宅の室内）での大音量の着信音の鳴動およびバイブレータ８の振動音を防止することが可能となる。さらに、標準、大、小の各テーブルから所望の増幅率および振動量を設定する構成を有するため、周囲環境音に応じて着信報知出力を所望のレベルに設定することが可能となる。
【実施例３】
【００４２】
実施例３は携帯端末装置の着信報知出力制御方法のプログラムに関するものである。図２および図５を参照すると、本発明に係る携帯端末装置はプログラム格納部９を含んでいる。このプログラム格納部９には、図４および図６にフローチャートで示す着信報知出力制御方法のプログラムが格納されている。ＣＰＵ３はプログラム格納部９からそのプログラムを読み出し、そのプログラムにしたがってメモリ７、ＡＤ変換回路２、増幅回路５、メロディ回路４およびバイブレータ８を制御する。その制御内容については既に述べたのでここでの説明は省略する。
【００４３】
以上説明したように、本発明の第３実施例によれば、周囲環境音に応じて着信報知出力を所望のレベルに設定することが可能なプログラムが得られる。
【符号の説明】
【００４４】
１  マイク
２  ＡＤ変換回路
３  ＣＰＵ
４  メロディ回路
５  増幅回路
６  スピーカ
７  メモリ
８  バイブレータ
９  プログラム格納部
１１  集音部
１２  着信報知部
７１  小テーブル
７２  標準テーブル
７３  大テーブル
【図１】
2010268086.tif 000003
【図２】
2010268086.tif 000004
【図３】
2010268086.tif 000005
【図４】
2010268086.tif 000006
【図５】
2010268086.tif 000007
【図６】
2010268086.tif 000008